(57)【特許請求の範囲】
【請求項１】
１又は複数のレンズを有するレンズ群を保持した筒状の第１固定筒と、
軸方向が前記第１固定筒の軸方向に沿って延ばされるように前記第１固定筒の軸方向における一方端部に固定的に連結された筒状の第２固定筒と、
前記第２固定筒を補強する補強部材と、を備え、
前記第２固定筒は、合成樹脂製であり、
前記補強部材は、前記第２固定筒を収納する第２固定筒収納部を備えていることを特徴とするレンズ鏡胴。
【請求項２】
前記第１固定筒は、前記第１固定筒の軸方向の一方端部に、前記第１固定筒の径方向に突設された第１連結部を備え、
前記第２固定筒は、前記第１連結部と連結された第２連結部を備え、
前記第２連結部は、前記第１固定筒の軸方向で前記第１連結部と対向するように前記第２固定筒の径方向に突設されていることを特徴とする請求項１記載のレンズ鏡胴。
【請求項３】
前記第２固定筒収納部は、略筒状を呈しており、
前記第２固定筒は、当該第２固定筒の軸方向の両端部に、それぞれ、前記第２固定筒収納部の内周に嵌合する補強部材嵌合部を備えていることを特徴とする請求項１に記載のレンズ鏡胴。
【請求項４】
前記第１固定筒の外周に回動可能に保持されたカム筒と、前記第２固定筒に取り付けられた基板とを、更に備え、
前記レンズ群は、前記第１固定筒の内周側に前記第１固定筒の軸方向移動可能に保持された移動レンズ群を備え、
前記カム筒は、前記第１固定筒に対する回動に際して前記移動レンズ群を前記第１固定筒の軸方向に移動操作し、
前記基板の一部は、前記カム筒の径方向外側に配置されていることを特徴とする請求項１〜３の何れか一項に記載のレンズ鏡胴。
【請求項５】
前記レンズ鏡胴に設けられた動作状態を切り替えるスイッチ部材を、更に備え、
前記スイッチ部材は、前記第１固定筒の径方向における前記基板の外側に配置されて前記基板と電気的に接続されていることを特徴とする請求項４に記載のレンズ鏡胴。
【請求項６】
前記第１固定筒又は前記第２固定筒に取り付けられた導通部材を、更に備え、
前記第１固定筒は、金属製であり、
前記導通部材は、前記第１固定筒と接触して前記第１固定筒をグランドに導通するように配置されていることを特徴とする請求項１〜５の何れか一項に記載のレンズ鏡胴。
【請求項７】
前記第１固定筒の外周に回動可能に保持されたカム筒を、更に備え、
前記導通部材は、前記カム筒を常時前記第１固定筒の軸方向の一方向側に付勢する付勢部を備えていることを特徴とする請求項６に記載のレンズ鏡胴。
【発明の詳細な説明】
【技術分野】
【０００１】
本発明は、レンズ鏡胴に関するものである。
【背景技術】
【０００２】
近年レンズ鏡胴に対する要求仕様が高まり、高性能、小型及び軽量化の両立が求められている。従来、レンズ鏡胴の構成部材、例えば１又は複数のレンズ群を保持する筒状の固定筒には他の構成部材が取り付けされる場合も多く、歪みの生じ難い金属材料で形成されている場合が多い。しかし、固定筒が金属材料で形成される場合、成形に際して複雑な形状にし難く、そのため、他の構成部材が取り付けられる取り付け部の加工を別途に施さなければならず、固定筒の形成が容易でない。又、固定筒に取り付け部の加工を施すと、加工誤差等によって他の構成部材が所定位置から位置ずれする場合も多く、高性能化を担保し難くなる。更には、固定筒を金属材料で製作すると、製品自体が高重量および高価なものになってしまう。
【０００３】
一方、例えば特許文献１に、レンズ鏡胴における固定筒を、第１固定筒と第２固定筒とに２分割したものが開示されており、このように固定筒を２分割することで、ブレ補正装置内の基板から配線を容易にし、又、ブレ補正装置の動作チェックを確認し易くする等、している。
【先行技術文献】
【特許文献】
【０００４】
【特許文献１】特開２００２−７２２７４号公報
【発明の概要】
【発明が解決しようとする課題】
【０００５】
しかしながら、特許文献１では、単に、固定筒を、第１固定筒と第２固定筒とに２分割しただけのため、上述の課題、即ち、取り付け部の加工を別途に施さなければならず、又、固定筒に取り付け部の加工に際して加工誤差等によって他の構成部材が所定位置から位置ずれする場合も多く、更には、第１固定筒と第２固定筒とを金属材料で製作すると、製品自体が高重量および高価なものになってしまうという課題が残る。
【０００６】
本発明は、固定筒を形成し易く、高性能で軽量化を図ることができるレンズ鏡胴の提供を目的とする。
【課題を解決するための手段】
【０００７】
本発明の一態様に係るレンズ鏡胴は、１又は複数のレンズを有するレンズ群を保持した筒状の第１固定筒と、軸方向が前記第１固定筒の軸方向に沿って延ばされるように前記第１固定筒の軸方向における一方端部に固定的に連結された筒状の第２固定筒と、前記第２固定筒を補強する補強部材と、を備え、前記第２固定筒は、合成樹脂製であり、前記補強部材は、前記第２固定筒を収納する第２固定筒収納部を備えていることを特徴とする。
【０００８】
この構成によれば、第２固定筒は合成樹脂製であるため、成形に際して複雑な形状に形成し易い。これにより、例えば第２固定筒に他の構成部材を取り付ける取り付け部が成形に際して形成され、別途に加工を施す必要のない形成容易なものになる。しかも、第２固定筒は成形に際して取り付け部を形成可能になるため、他の構成部材を所定位置に位置ずれすることなく配置でき、レンズ鏡胴が高性能なものになる。又、第２固定筒が合成樹脂製のため、レンズ鏡胴の軽量化が図られる。
また、補強部材によって合成樹脂製の第２固定筒の強度を補強できる。又、補強部材が第２固定筒の径方向外側に配置されていることで、第２固定筒の外周に取り付けられる部材を補強部材によって保護することも可能になる。
【０００９】
他の一態様では、前記レンズ鏡胴において、前記第１固定筒は、前記第１固定筒の軸方向の一方端部に、前記第１固定筒の径方向に突設された第１連結部を備え、前記第２固定筒は、前記第１連結部と連結された第２連結部を備え、前記第２連結部は、前記第１固定筒の軸方向で前記第１連結部と対向するように前記第２固定筒の径方向に突設されていることを特徴とする。
【００１０】
この構成によれば、第１連結部と合成樹脂製の第２連結部とによって、第１固定筒と第２固定筒とを強固に連結して固定できる。
【００１３】
他の一態様では、前記レンズ鏡胴において、前記第２固定筒収納部は、略筒状を呈しており、前記第２固定筒は、当該第２固定筒の軸方向の両端部に、それぞれ、前記第２固定筒収納部の内周に嵌合する補強部材嵌合部を備えていることを特徴とする。
【００１４】
この構成によれば、第２固定筒が軸方向に撓むことを抑えることができる。詳しくは、例えばレンズ鏡胴の対物側が像側よりも重い場合に、レンズ鏡胴の像側がカメラ本体に取り付けられてレンズ鏡胴の軸方向が水平状に配置されると、レンズ鏡胴の対物側に軸方向と直交する下向きの力が重力によってかかってその力によってレンズ鏡胴は軸方向に撓み変形し易くなる。しかし、第２固定筒は、対物側の端部の嵌合部が補強部材の内周に嵌合するため、補強部材によって第２固定筒にかかる撓み変形力を軽減でき、第２固定筒が軸方向に撓むことを抑えられる。
【００１５】
他の一態様では、前記レンズ鏡胴において、前記第１固定筒の外周に回動可能に保持されたカム筒と、前記第２固定筒に取り付けられた基板とを、更に備え、前記レンズ群は、前記第１固定筒の内周側に前記第１固定筒の軸方向移動可能に保持された移動レンズ群を備え、前記カム筒は、前記第１固定筒に対する回動に際して前記移動レンズ群を前記第１固定筒の軸方向に移動操作し、前記基板の一部は、前記カム筒の径方向外側に配置されていることを特徴とする。
【００１６】
この構成によれば、基板の一部は回動するカム筒の径方向外側に配置され、他部材の配置スペースを十分に取ることができ、他部材の配置スペースの効率化を図ることができる。
【００１７】
他の一態様では、前記レンズ鏡胴において、前記レンズ鏡胴に設けられた動作状態を切り替えるスイッチ部材を、更に備え、前記スイッチ部材は、前記第１固定筒の径方向における前記基板の外側に配置されて前記基板と電気的に接続されていることを特徴とする。
【００１８】
この構成によれば、スイッチ部材と基板との電気的接続が容易になり、レンズ鏡胴の組み立て作業が容易に短時間に行われる。
【００１９】
他の一態様では、前記レンズ鏡胴において、前記第１固定筒又は前記第２固定筒に取り付けられた導通部材を、更に備え、前記第１固定筒は、金属製であり、前記導通部材は、前記第１固定筒と接触して前記第１固定筒をグランドに導通するように配置されていることを特徴とする。
【００２０】
この構成によれば、第２固定筒を樹脂材料で構成しても第１固定筒をグランドに接地することができ、静電気が発生した場合でもグランドに逃がすことができる。
【００２１】
他の一態様では、前記レンズ鏡胴において、前記第１固定筒の外周に回動可能に保持されたカム筒を、更に備え、前記導通部材は、前記カム筒を常時前記第１固定筒の軸方向の一方向側に付勢する付勢部を備えていることを特徴とする。
【００２２】
この構成によれば、付勢部によってカム筒を第１固定筒の軸方向の一方側に付勢することで、カム筒を第１固定筒に対して常時一定位置に配置しておくことができ、移動レンズ群を正確に移動操作できる。又、導通部材が付勢部を備えているため、導通部材と別途に付勢部材を設ける必要がなく、部品点数を抑えることができ、高性能なレンズ鏡胴を安価に提供できる。また、カム筒と付勢部とを導通可能に接触すればカム筒が付勢部を介してグランドに接地されることも可能になる。
【発明の効果】
【００２３】
本発明のレンズ鏡胴は、固定筒を形成し易く、高性能で軽量化を図ることができる。
【図面の簡単な説明】
【００２４】
【図１】本発明の一実施の形態のレンズ鏡胴の断面図である。
【図２】図１のレンズ鏡胴の要部の分解斜視図である。
【図３】図１のレンズ鏡胴に用いられる導通部材の斜視図である。
【図４】図１のレンズ鏡胴の要部の拡大断面図である。
【図５】第２固定筒に導通部材を取り付けた状態の部分斜視図である。
【発明を実施するための形態】
【００２５】
以下、本発明の実施の形態について、図面を参照しながら詳細に説明する。図１は、本発明の一実施の形態のレンズ鏡胴の断面図、図２は、図１のレンズ鏡胴の要部の分解斜視図である。尚、図のＸ方向を対物側とし、Ｙ方向を像側として説明する。
【００２６】
この実施形態のレンズ鏡胴１は、図１に示すように固定筒２と、レンズ群５１〜５４と、カム筒３と、補強部材４と、外装部材５とを備えている。
【００２７】
固定筒２は、金属製の円筒状の第１固定筒２１と、第１固定筒２１の像側の端部に固定的に連結された合成樹脂製の円筒状の第２固定筒２２とを備えている。
【００２８】
第１固定筒２１は、その第１固定筒２１の軸方向における像側の端部に、全周にわたって内周面から径方向内側に突設されたフランジ状の第１連結部２１１を備えている。又、第１固定筒２１は、軸方向に沿って、内周から外周に貫通されるように形成されたガイド溝２１２を備えている。
【００２９】
第２固定筒２２は、その第２固定筒２２の軸方向における像側の端部に、補強部材４に嵌合する第１補強部材嵌合部２２０を備えている。第１補強部材嵌合部２２０は、略全周にわたって、第２固定筒２２の外周面から径方向外側に突設されたフランジ状のものからなる。
【００３０】
又、第２固定筒２２は、その第２固定筒２２の軸方向における対物側の端部に、第１連結部２１１と連結した第２連結部２２１と、補強部材４に嵌合する第２補強部材嵌合部２２２とを備えている。
【００３１】
第２連結部２２１は、全周にわたって、内周面から径方向内側に突設されたフランジ状のものからなり、第１固定筒２１の軸方向で第１連結部２１１と対向している。第２補強部材嵌合部２２２は、外周面から径方向外側に突設されている。
【００３２】
又、この実施形態では、図２に示すように第２固定筒２２は、第１補強部材嵌合部２２０と第２補強部材嵌合部２２２との間に、第２固定筒２２の強度を上げるためのリブ２２５を周方向に複数、備えている。各リブ２２５は、第２固定筒２２の軸方向に沿って第１補強部材嵌合部２２０から第２補強部材嵌合部２２２まで延ばされている。
【００３３】
又、第２固定筒２２における軸方向の対物側の端部には、基板（回路基板）６が取り付けられている。この基板６は、例えば第１固定筒２１に対するカム筒３の回動位置を検出し、或いは、後述のオートフォーカス用駆動モータ３４１を制御するもので、矩形状の基板本体６１と、第２固定筒２２に取り付けられた基板取付部６２とを備えており、不図示のフレキシブルプリント基板でオートフォーカス用駆動モータ３４１等の電気部品と接続されている。
【００３４】
基板取付部６２は、基板本体６１から像側に突出するように形成されている。そして、基板取付部６２は、第２固定筒２２における対物側の端部に設けられた被取付部２２３に、第２固定筒２２の端部から対物側に突出するように、取付ボルト６２１を介して固定的に取り付けられている。これにより、基板６を補強部材４に隣接配置することが容易になり、小型化するために補強部材４を切り欠くことがあっても、切欠きを小さくでき補強部材４の剛性を損なうおそれが小さくなる。また、補強部材４の対物側端は外径側に突出しており、第２被嵌合部４１２の剛性を高めるよう構成されている。
【００３５】
又、この実施形態の第２固定筒２２の軸方向における対物側の端面に、第１固定筒２１をグランドに導通する導通部材７が取付ボルト７３によって取り付けられている。この実施形態の導通部材７は、図３に示すように導通部材本体７０と、第１固定筒２１に当接する当接部７１と、カム筒３を付勢する弾性を有するカム筒付勢部（付勢部）７２とを備えている。
【００３６】
当接部７１は、導通部材本体７０の両側端部それぞれから対物側に突設されているとともに、それぞれの先端が尖るように形成され、第１固定筒２１に確実に当接できるようになっている。
【００３７】
そして、第２固定筒２２に取り付けられた導通部材７は、図２〜図４に示すようにリード線７４を介して基板６のグランドに接続されている。
【００３８】
このように形成された第２固定筒２２の第２連結部２２１と第１固定筒２１の第１連結部２１１とがボルト２３によって固定的に連結されており、この連結状態で、第２連結部２２１の軸方向と第１連結部２１１の軸方向とが一致し、第１固定筒２１と第２固定筒２２とで、１つの固定筒を形成している。
【００３９】
又、この状態で、図４に示すように導通部材７の当接部７１が第１固定筒２１に当接し、第１固定筒２１が基板６のグランドに導通された状態になっている。又、基板６の基板本体６１は、図１に示すように第１固定筒２１の径方向外側に配置された状態になっている。
【００４０】
レンズ群は、この実施形態では、図１に示すように、対物側から像側に順に配置された第１レンズ群５１、第２レンズ群５２、第３レンズ群５３及び第４レンズ群５４とを備えている。
【００４１】
第１レンズ群５１は、１又は複数のレンズを備え、第１固定筒２１に固定的に保持されている。
【００４２】
第２レンズ群５２は、１又は複数のレンズを備え、第１固定筒２１に、光軸方向（Ｘ−Ｙ方向、第１固定筒２１の軸方向）に移動可能に保持されており、移動レンズ群をなしている。この第２レンズ群５２は、外周側に、第１固定筒２１のガイド溝２１２及び後述のカム筒３のカム溝３１に移動可能に入れられたガイド軸５２１を備え、このガイド軸５２１がガイド溝２１２及びカム溝３１に沿って案内移動させられることにより第２レンズ群５２が光軸方向に移動する。尚、この第２レンズ群５２の移動については、更に後述する。
【００４３】
第３レンズ群５３は、１又は複数のレンズを備え、第２固定筒２２に固定的に保持されている。
【００４４】
第４レンズ群５４は、１又は複数のレンズを備え、第２固定筒２２に、複数の調整ボルト５４１（図１では１つだけ表れている）によって光軸方向の傾き及び光軸方向の位置が調整可能に保持されている。
【００４５】
カム筒３は、レンズ群を光軸方向に移動操作するもので、この実施形態では、第２レンズ群５２を光軸方向に移動操作する。カム筒３は、円筒体からなり、図１、図２に示すように第２レンズ群５２のガイド軸５２１が移動可能に入り込んだカム溝３１を備えている。このカム溝３１は、軸方向に傾斜するように形成されている。
【００４６】
そして、このように形成されたカム筒３は、第１固定筒２１における像側の一部の外周側に、第１固定筒２１に軸方向移動不能に且つ光軸回り（第１固定筒２１の軸回り）に回動自在に保持されている。又、この状態で、カム筒３がカム筒付勢部７２に導通可能に接触してカム筒３がカム筒付勢部７２によって常時対物側に付勢された状態になっている。そして、カム筒３は、回動操作部材によって回動操作される。
【００４７】
この回動操作部材は、この実施形態では、マニュアル操作部材３３と、オートフォーカス操作部材３４と、出力リング３５とを備えている。
【００４８】
オートフォーカス操作部材３４は、第１固定筒２１に保持されたオートフォーカス用駆動モータ３４１と、オートフォーカス用駆動モータ（駆動モータ）３４１とギアを介して連動可能に連結されたオート用入力リング３４２と、オートフォーカス用駆動モータ３４１が作動し得る作動状態と作動しない作動停止状態とに切り替えるオートフォーカススイッチ（スイッチ部材）３４３とを備えている。
【００４９】
オートフォーカス用駆動モータ３４１は、この実施形態では、第１ギア３４１ａを有する出力軸３４１ｂを備えている。
【００５０】
オート用入力リング３４２は、円筒状のものから構成されている。この実施形態では、オート用入力リング３４２は、外周に、出力軸３４１ｂの第１ギア３４１ａと噛合する第２ギア３４２ａを備えている。又、オート用入力リング３４２は、その像側の面に、後述の出力リング３５の転動ローラー３５１ｂが転動する第１ローラー転動部３４２ｂを備えている。
【００５１】
このように構成されたオート用入力リング３４２は、第１固定筒２１の外周に、第１固定筒２１の軸まわりに回動自在に配設されている。
【００５２】
オートフォーカススイッチ３４３は、後述の外装部材５のスイッチ取付部５０に取り付けられ、外部からオートフォーカススイッチ３４３を操作できるようになっている。
【００５３】
マニュアル操作部材３３は、手動でカム筒３を回動操作するもので、マニュアル用入力リング３３１と、マニュアル用入力リング３３１を操作するマニュアル操作リング３３２とを備えている。マニュアル用入力リング３３１は、リング板状のものから構成されており、対物側の面に、後述の出力リング３５の転動ローラー３５１ｂが転動する第２ローラー転動部３３１ａを備えている。
【００５４】
そして、このマニュアル用入力リング３３１は、オート用入力リング３４２と所定間隔隔ててオート用入力リング３４２の像側に、第１固定筒２１の軸まわりに回動自在に配設されている。
【００５５】
マニュアル操作リング３３２は、円筒状のものから構成され、内周側に、一体的に形成されたフランジからなる操作部３３２ａを備えている。この操作部３３２ａは、マニュアル用入力リング３３１を像側から、入力リング付勢バネ３３２ｃを介してマニュアル用入力リング３３１を操作する。
【００５６】
出力リング３５は、円筒状のものから構成されている。この出力リング３５には、出力リング３５に保持された３つ（図１では、１つだけが表れている）の連動部材３５１が付設されている。
【００５７】
連動部材３５１は、出力リング３５と上記オート用入力リング３４２とを連動させるとともに、出力リング３５と上記マニュアル用入力リング３３１とを連動させるもので、連動部材３５１の夫々は、ローラー軸３５１ａと、ローラー軸３５１ａに回動自在に支持された転動ローラー３５１ｂとを備えている。
【００５８】
又、出力リング３５は、図示しない連結部材によってカム筒３と固定的に連結されている。
【００５９】
このように構成された出力リング３５は、第１固定筒２１の軸方向におけるオート用入力リング３４２とマニュアル用入力リング３３１との間且つ第１固定筒２１の外周側に、第１固定筒２１の軸まわり（光軸まわり）に回動自在に配設されている。
【００６０】
又、この状態で、転動ローラー３５１ｂは、オート用入力リング３４２の第１ローラー転動部３４２ｂとマニュアル用入力リング３３１の第２ローラー転動部３３１ａとの間に配設され、入力リング付勢バネ３３２ｃによって両者に加圧状態で挟持されている。
【００６１】
より詳しくは、マニュアル操作リング３３２とマニュアル用入力リング３３１との間に、波板リング状のスプリングからなる入力リング付勢バネ３３２ｃが設けられており、この入力リング付勢バネ３３２ｃによって、マニュアル用入力リング３３１は、対物側のオート用入力リング３４２側に付勢されている。
【００６２】
この付勢力により、マニュアル用入力リング３３１の第２ローラー転動部３３１ａが転動ローラー３５１ｂを押圧し、この押圧によって転動ローラー３５１ｂがオート用入力リング３４２の第１ローラー転動部３４２ｂを押圧している。これにより、転動ローラー３５１ｂは、第１ローラー転動部３４２ｂと第２ローラー転動部３３１ａとに、一定の付勢力がかかった状態で挟持されている。
【００６３】
そして、オートフォーカス操作部材３４によって第２レンズ群５２を可動させる場合は、オートフォーカススイッチ３４３を入り操作する。これにより、基板６からオートフォーカス用駆動モータ３４１へ電圧が印加され、それに伴いオートフォーカス用駆動モータ３４１が作動する。
【００６４】
又、このオートフォーカス用駆動モータ３４１の作動に伴って、第１ギア３４１ａと噛合したオート用入力リング３４２が回動する。また、この回動に伴い、転動ローラー３５１ｂが第１ローラー転動部３４２ｂを転動する。その際、転動ローラー３５１ｂが第１ローラー転動部３４２ｂとマニュアル用入力リング３３１の第２ローラー転動部３３１ａとに挟持されているとともに、マニュアル用入力リング３３１が入力リング付勢バネ３３２ｃの付勢力等によって回動が規制されているため、転動ローラー３５１ｂは自転しながら、第１固定筒２１のまわりを公転し、これにより、転動ローラー３５１ｂを保持した出力リング３５が回動する。
【００６５】
そして、その出力リング３５の回動に伴い、カム筒３が回動する。又、カム筒３の回動によって、第１固定筒２１のガイド溝２１２及びカム筒３のカム溝３１夫々に入り込んだガイド軸５２１がそれらの溝２１２，３１を移動し、これにより、第２レンズ群５２が第１固定筒２１の光軸方向に移動する。
【００６６】
一方、オートフォーカススイッチ３４３を切り操作した状態から、マニュアル操作リング３３２を手で回動操作する。これにより、マニュアル用入力リング３３１が回動し、第２ローラー転動部３３１ａを転動ローラー３５１ｂが転動する。その際、転動ローラー３５１ｂを挟持したオート用入力リング３４２は、オートフォーカス用駆動モータ３４１と噛合して回動できないため、転動ローラー３５１ｂは自転しながら、第１固定筒２１のまわりを公転し、出力リング３５全体が回動する。以下、上述したと同様に、カム筒３が回動して第２レンズ群５２が第１固定筒２１の光軸方向に駆動できる。なお、スイッチ部材はオートフォーカス用駆動モータ３４１が動作し得る動作状態と動作しない動作停止状態とに切り替える形態のものに限らず、レンズ鏡胴１に設けられた動作状態を切り替えるものであればよく、適宜変更できる。例えばレンズ鏡胴１にブレ補正部を設け、スイッチ部材はブレ補正部が動作し得る動作状態と動作しない動作停止状態とに切り替えるもの、或いは、オートフォーカス用駆動モータ３４１の動作し得る動作状態とブレ補正部が動作し得る動作状態とを切り替えるものでもよい。
【００６７】
次に、補強部材４について説明する。補強部材４は、合成樹脂製の第２固定筒２１を補強等するためのもので、金属製であり、第２固定筒２１の略全体を収納する第２固定筒収納部４１と、第２固定筒収納部４１の像側に形成されたマウント部材固定部４２とを備えている。
【００６８】
第２固定筒収納部４１は、第２固定筒２２の第１補強部材嵌合部２２０が嵌合される第１被嵌合部４１１と、第２固定筒２２の第２補強部材嵌合部２２２が嵌合される第２被嵌合部４１２とを備えている。そして、第１被嵌合部４１１に第２固定筒２２の第１補強部材嵌合部２２０が嵌合されるとともに、第２被嵌合部４１２に第２固定筒２２の第２補強部材嵌合部２２２が嵌合された状態で、補強部材４と第２固定筒２２とが図示しない固定用ボルトによって固定されている。
【００６９】
マウント部材固定部４２は、筒状を呈し、レンズ鏡胴１に設けられたマウント部材１１に固定されている。
【００７０】
詳しくは、レンズ鏡胴１には、カメラ本体に着脱自在に取り付けるマウント部材１１が設けられている。マウント部材固定部４２の像側の端面がマウント部材１１と当接された状態で、固定用ボルト４３によって、マウント部材固定部４２の像側の端面とマウント部材１１とが固定されている。
【００７１】
次に、外装部材５について説明する。外装部材５は、合成樹脂製の筒状体からなり、図１、図２に示すようにオートフォーカススイッチ３４３を取り付けるスイッチ取付部５０を備えている。スイッチ取付部５０は、外装部材５の周面の一部を開口して形成されている。
【００７２】
外装部材５は、補強部材４及びカム筒３の外周を覆うように配設され、固定用ボルト４３による補強部材４とマウント部材１１との固定に際して、補強部材４とマウント部材１１とに固定される。
【００７３】
又、その固定された状態で、スイッチ取付部５０が第１固定筒２１の周方向における基板６と略同じ位置で、且つ、第１固定筒２１の径方向における基板６の外側に配置されている。そして、その状態でスイッチ取付部５０に、オートフォーカススイッチ３４３が基板６と電気的に接続される。これにより、オートフォーカススイッチ３４３と基板６とが電気的接続を容易に行い得るようになっている。
【００７４】
以上のように構成されたレンズ鏡胴１は、第２固定筒が合成樹脂製であるため、成形に際して複雑な形状に形成し易く、これにより、例えば第２固定筒が他の構成部材を取り付ける取り付け部が成形に際して形成され、別途に加工を施す必要のない形成容易なものになる。しかも、第２固定筒は成形に際して取り付け部を形成可能になるため、他の構成部材を所定位置に位置ずれすることなく配置でき、レンズ鏡胴が高性能なものになる。又、第２固定筒が合成樹脂製のため、レンズ鏡胴の軽量化が図られる。
【００７５】
又、第１固定筒の径方向に突設された第１連結部と第２固定筒の径方向に突設された第２連結部とが連結されるため、第１固定筒と第２固定筒とを強固に連結して固定できる。
【００７６】
又、補強部材によって合成樹脂製の第２固定筒の強度を補強できる。又、補強部材が第２固定筒の径方向外側に配置されていることで、第２固定筒の外周に取り付けられる部材を補強部材によって保護することも可能になる。
【００７７】
又、第２固定筒の軸方向の両端部に、それぞれ、前記第２固定筒収納部の内周に嵌合する補強部材嵌合部を備えているため、第２固定筒が軸方向に撓むことを抑えることができる。詳しくは、例えばレンズ鏡胴の対物側が像側よりも重い場合に、レンズ鏡胴の像側がカメラ本体に取り付けられてレンズ鏡胴の軸方向が水平状に配置されると、レンズ鏡胴の対物側に軸方向と直交する下向きの力がかかってその力によってレンズ鏡胴は軸方向に撓み変形し易くなる。しかし、第２固定筒は、対物側の端部の嵌合部が補強部材の内周に嵌合するため、補強部材によって第２固定筒にかかる撓み変形力を軽減でき、第２固定筒が軸方向に撓むことを抑えられる。
【００７８】
又、基板の一部は回動するカム筒の径方向外側に配置され、他部材の配置スペースを十分に取ることができ、他部材の配置スペースの効率化を図ることができる。
【００７９】
又、スイッチ部材は第１固定筒の径方向における基板の外側に配置されて基板と電気的に接続されるため、スイッチ部材と基板とが電気的接続が容易になり、レンズ鏡胴の組み立て作業が容易に短時間に行われる。
【００８０】
又、第１固定筒又は前記第２固定筒に取り付けられた導通部材によって第１固定筒をグランドに接地することができ、静電気が発生した場合でもグランドに逃がすことができる。
【００８１】
又、導通部材はカム筒を常時第１固定筒の軸方向の一方向側に付勢する付勢部を備えているため、付勢部によってカム筒を第１固定筒の軸方向の一方側に付勢することで、カム筒を第１固定筒に対して常時一定位置に配置しておくことができ、移動レンズ群を正確に移動操作できる。又、導通部材が付勢部を備えているため、導通部材と別途に付勢部材を設ける必要がなく、部品点数を抑えることができ、高性能なレンズ鏡胴を安価に提供できる。また、カム筒と付勢部とを導通可能に接触すればカム筒が付勢部を介してグランドに接地されることも可能になる。
【００８２】
尚、上記実施形態では、補強部材４は、外装部材５とは別に形成されたものから構成されたが、この形態のものに限らず、例えば第２固定筒２２の第１補強部材嵌合部２２０と第２補強部材嵌合部２２２とが外装部材５の内周に嵌合するようにして外装部材５が補強部材４を兼備するものであってもよく、適宜変更できる。なお、その場合は、外装部材５は金属製であることが好ましい。
【００８３】
又、上記実施形態では、第１固定筒２１の第１連結部２１１は、第１固定筒２１の径方向内側に突設され、第２固定筒２２の第２連結部２２１は、第２固定筒２２の径方向内側に突設されたが、この形態のものに限らず、適宜変更できる。例えば第１固定筒２１の第１連結部２１１は、第１固定筒２１の径方向外側に突設され、第２固定筒２２の第２連結部２２１は、第２固定筒２２の径方向外側に突設されたものでもよい。
【符号の説明】
【００８４】
１    レンズ鏡胴
２    固定筒
３    カム筒
４    補強部材
５    外装部材
６    基板
２１    第１固定筒
２２    第２固定筒
３４１    オートフォーカス用駆動モータ
３４３    オートフォーカススイッチ（スイッチ部材）
【図１】
0006485026.tif 000002
【図２】
0006485026.tif 000003
【図３】
0006485026.tif 000004
【図４】
0006485026.tif 000005
【図５】
0006485026.tif 000006